(57)【要約】      （修正有）【課題】非常に安定的で外観が秀麗なショーケースを提供する。【解決手段】本考案のショーケースは、透明なプラスチック素材の長方形板状をし、長方形の４つの頂点に対応する４つの角部に隣接したコーナー部位それぞれには一側面と他側面を貫通する形でコーナーピース装着孔１２０が設けられる複数の透明四角板１００と外側に相互直角をなす３つのコーナー接触面２１０が形成され、前記コーナー接触面それぞれには前記コーナーピース装着孔に挿入されるための装着孔挿入段部２１１が突設され、前記装着孔挿入段部の中央を貫通する形で前記コーナー接触面に対して垂直に延びる雌ねじ孔が設けられる複数のコーナーピース２００と前記コーナーピースと前記透明四角板とを締結するために、ねじ頭３１０が前記透明四角板に支持されながらねじ本体３２０が前記コーナーピースの雌ねじ孔に螺合される複数のコーナーピース締結部材とを含んでなる。【選択図】図２
0003224295.tif 000002
【実用新案登録請求の範囲】
【請求項１】
透明なプラスチック素材の長方形板状をし、長方形の４つの頂点に対応する４つの角部に隣接したコーナー部位それぞれには一側面と他側面を貫通する形でコーナーピース装着孔が設けられる複数の透明四角板と；
外側に相互直角をなす３つのコーナー接触面が形成され、前記コーナー接触面それぞれには前記コーナーピース装着孔に挿入されるための装着孔挿入段部が突設され、前記装着孔挿入段部の中央を貫通する形で前記コーナー接触面に対して垂直に延びる雌ねじ孔が設けられる複数のコーナーピースと；
前記コーナーピースと前記透明四角板とを締結するために、ねじ頭が前記透明四角板に支持されながらねじ本体が前記コーナーピースの雌ねじ孔に螺合される複数のコーナーピース締結部材と；を含んでなり、
複数の前記透明四角板と複数の前記コーナーピースと複数のコーナーピース締結部材によって、一部の面が開放された或いは全体面が閉じた直方体箱形の単位陳列台を形成し、前記コーナーピースは前記単位陳列台のコーナーの内側にのみ位置することを特徴とする、ショーケース。
【請求項２】
前記透明四角板の前記コーナーピース装着孔の一側には、拡管される形の皿頭装着溝が設けられ、前記コーナーピース締結部材は、ねじ頭が前記皿頭装着溝に装着される皿頭である皿頭ボルトであることを特徴とする、請求項１に記載のショーケース。
【請求項３】
複数の前記透明四角板と複数の前記コーナーピースと複数の前記コーナーピース締結部材によって、互いに隣接するように配置された複数の単位陳列台を形成し、互いに隣接するように配置された一対の前記単位陳列台は、一つの前記透明四角板を互いに共有することを特徴とする、請求項１または２に記載のショーケース。
【考案の詳細な説明】
【技術分野】
【０００１】
本考案は、ショーケースに係り、より具体的には、ユーザー希望の形で箱形に組み立てて収集品や装飾品などを陳列することができるようにするショーケースに関する。
【背景技術】
【０００２】
一般に、ショーケースとは、収集品や装飾品などを陳列するために直方体箱形に製作されるものである。
【０００３】
ショーケースは、一つの直方体箱形である単位陳列台から構成される場合と、複数の単位陳列台が互いに隣接するように配置され、複数の単位陳列台から構成される場合に区分できる。
【０００４】
ショーケースを構成する単位陳列台は、単位陳列台の壁体を形成する透明四角板と、透明四角板を互いに結合するための締結部材とからなる。
【０００５】
一般に、ショーケースは、長方形の透明四角板を六面体状に配置し、透明四角板の縁部（長方形の辺に対応する部分）に沿って締結部材を配置して、締結部材によって相互隣接の透明四角板が結合されるようにする。
【０００６】
このような方式で製作されたショーケースは、単位陳列台の縁部に沿って配置された締結部材によって、陳列台の内部に陳列される収集品や装飾品が遮られるという問題がある。
【０００７】
かかる問題を解決するために、透明四角板の縁部を結合せずに透明四角板のコーナー部位（長方形の頂点に対応する部分）を結束する形で結合することもできる。しかし、このように透明四角板のコーナー部位だけを互いに結合する形態の場合、締結部材が単位陳列台のコーナー部位の外側に突出するように配置されて装飾性を毀損させるという問題がある。
【先行技術文献】
【特許文献】
【０００８】
【特許文献１】韓国登録実用新案第２０−０２８１６８９号公報
【考案の概要】
【考案が解決しようとする課題】
【０００９】
本考案は、かかる従来技術の問題点を解決するためになされたもので、その目的は、単位陳列台のコーナーの内側に配置されるコーナーピースによって複数の透明四角板が互いに結合するようにして、コーナーピースの使用を最小限に抑えながらも非常に安定的で外観が秀麗なショーケースを提供することにある。
【課題を解決するための手段】
【００１０】
上記目的を達成するために、本考案は、透明なプラスチック素材の長方形板状をし、長方形の４つの頂点に対応する４つの角部に隣接したコーナー部位それぞれには一側面と他側面を貫通する形でコーナーピース装着孔が設けられる複数の透明四角板と；外側に相互直角をなす３つのコーナー接触面が形成され、前記コーナー接触面それぞれには、前記コーナーピース装着孔に挿入されるための装着孔挿入段部が突設され、前記装着孔挿入段部の中央を貫通する形で前記コーナー接触面に対して垂直に延びる雌ねじ孔が設けられる複数のコーナーピースと；前記コーナーピースと前記透明四角板とを締結するために、ねじ頭が前記透明四角板に支持されながらねじ本体が前記コーナーピースの雌ねじ孔に螺合される複数のコーナーピース締結部材と；を含んでなり、複数の前記透明四角板と複数の前記コーナーピースと複数のコーナーピース締結部材によって、一部の面が開放された或いは全体面が閉じた直方体箱形の単位陳列台を形成し、前記コーナーピースは前記単位陳列台のコーナーの内側にのみ位置することを特徴とする。
【００１１】
前記において、前記透明四角板の前記コーナーピース装着孔の一側には、拡管される形の皿頭装着溝が設けられ、前記コーナーピース締結部材は、ねじ頭が前記皿頭装着溝に装着される皿頭である皿頭ボルトであることを特徴とする。
【００１２】
前記において、複数の前記透明四角板と複数の前記コーナーピースと複数のコーナーピース締結部材によって互いに隣接するように配置された複数の単位陳列台を形成し、互いに隣接するように配置された一対の単位陳列台は、一つの透明四角板を互いに共有することを特徴とする。
【考案の効果】
【００１３】
上述のように、本考案によるショーケースは、単位陳列台のコーナーの内側に配置されるコーナーピースによって複数の透明四角板が互いに結合するようにして、コーナーピースの使用を最小限に抑えながらも、非常に安定的で外観が秀麗なショーケースを提供することができる。
【００１４】
また、ショーケースのコーナーの内側に最小限のコーナーピースが設けられ、内部に陳列される収集品や装飾品が隠されることを最小限に抑えることができる。
【図面の簡単な説明】
【００１５】
【図１】本考案の一実施形態によるショーケースの単位陳列台の斜視図である。
【図２】図１の概念断面図である。
【図３】図２の分離断面図である。
【図４】図２の透明四角板の平面図である。
【図５】図４の透明四角板の断面図である。
【図６】図２のコーナーピースの斜視図である。
【図７】図６の反対方向から見たコーナーピースの斜視図である。
【図８】図１の単位陳列台の一部を分離して示す斜視図である。
【図９】本考案の他の実施形態によるショーケースの斜視図である。
【図１０】図９のショーケースのＡ部位の結合形態を示す概念断面図である。
【考案を実施するための形態】
【００１６】
以下、添付図面を参照して、本考案の属する技術分野における通常の知識を有する者が容易に実施し得るように本考案の実施形態を詳細に説明する。しかし、本考案は、様々な異なる形態で実現でき、ここで説明する実施形態に限定されない。そして、図面において本考案を明確に説明するために、説明と関係のない部分は省略し、明細書全体にわたって、類似する部分については類似する符号を付した。明細書全体において、ある部分がある構成要素を「含む」とするとき、これは特に反対される記載がない限り、他の構成要素を除外するのではなく、他の構成要素をさらに含むことができることを意味する。
【００１７】
図１は本考案の一実施形態によるショーケースの単位陳列台の斜視図、図２は図１の概念断面図、図３は図２の分離断面図、図４は図２の透明四角板の平面図、図５は図４の透明四角板の断面図、図６は図２のコーナーピースの斜視図、図７は図６の反対方向から見たコーナーピースの斜視図、図８は図１の単位陳列台の一部を分離して示す斜視図である。
【００１８】
本考案の一実施形態によるショーケースは、一部の面が開放された或いは全体の面が閉じた直方体箱形の単位陳列台１０である。
【００１９】
単位陳列台１０は、複数の透明四角板１００を、一部の面が開放された或いは全体の面が閉じた直方体状に配置し、コーナーピース２００とコーナーピース締結部材３００によって複数の透明四角板１００を互いに締結することにより製作される。
【００２０】
単位陳列台１０をなす透明四角板１００は、図３〜図５を参照して説明する。
【００２１】
透明四角板１００は、アクリルなどの透明なプラスチック素材で製作される長方形板状である。長方形とは、正方形を含むものである。透明四角板１００は、単位陳列台１０の壁体を形成するためのものである。本実施形態において、透明四角板１００は、一定の厚さの透明なプラスチックで製作される。透明四角板１００の素材については特に限定しないが、内部の陳列品を外部から確認することができるように透明な素材で製作されなければならない。
【００２２】
図１などにおいて、透明四角板１００の後方に位置した他の構成要素が見えないように透明四角板１００を不透明に図示しているが、これは図面の複雑さを減らし且つ他の構成要素との位置関係を明確に示すためである。
【００２３】
透明四角板１００の長方形の４つの頂点に対応する４つの角部に隣接したコーナー部位それぞれにはコーナーピース装着孔１２０が設けられる。コーナーピース装着孔１２０は、透明四角板１００の一側面と他側面を貫通する形で設けられる。
【００２４】
コーナーピース装着孔１２０は、コーナーピース２００とコーナーピース締結部材３００を用いて、隣接する複数の透明四角板１００を結合するためのものである。
【００２５】
コーナーピース２００とコーナーピース締結部材３００は、直方体状に配置された複数の透明四角板１００を互いに結合するためのものであり、コーナーピース２００とコーナーピース締結部材３００は、直方体状に配置された透明四角板１００のコーナー部位にそれぞれ結合される。
【００２６】
図６及び図７から確認されるように、コーナーピース２００は、外側に相互直角をなす３つのコーナー接触面２１０が形成されて直角三角錐の形状をなす。
【００２７】
コーナーピース２００のコーナー接触面２１０には、コーナー接触面２１０から突出してコーナーピース装着孔１２０に挿入されるための装着孔挿入段部２１１が垂直に突設されている。
【００２８】
また、装着孔挿入段部２１１には、装着孔挿入段部２１１の中央を貫通する形でコーナー接触面２１０に対して垂直に延びる雌ねじ孔２１２が設けられる。雌ねじ孔２１２は、コーナーピース締結部材３００を挿入して透明四角板１００とコーナーピース２００とを結合するためのものである。
【００２９】
装着孔挿入段部２１１の突出高さは、透明四角板１００の厚さの１／２以下である。これは透明四角板１００の一側面と他側面において装着孔挿入段部２１１をコーナーピース装着孔１２０にそれぞれ挿入して２つのコーナーピース２００を一つの透明四角板１００に一緒に結合することができるようにするためのものである。一つの透明四角板１００に２つのコーナーピース２００が結合された状態は、図１０から確認することができる。
【００３０】
一方、透明四角板１００を結合するためのコーナーピース２００は、３つのコーナー接触面２１０を備えた直角三角錐の形状に設けられるので、２つまたは３つの透明四角板１００を直観的に結合することができる。すなわち、透明四角板１００の結合が非常に容易に行われる。さらに、コーナーピース２００の装着孔挿入段部２１１は、コーナーピース２００と透明四角板１００との組立作業を非常に簡便にする。すなわち、コーナーピース２００の装着孔挿入段部２１１が透明四角板１００のコーナーピース装着孔１２０に挿入されることにより、コーナーピース締結部材３００が締結される以前にも、一時的に直方体箱形の形状を成すことができる。
【００３１】
コーナーピース締結部材３００は、透明四角板１００のコーナー部位にコーナーピース２００を締結するために、ねじ頭３１０が透明四角板１００に支持されながらねじ本体３２０がコーナーピース２００の雌ねじ孔２１２に螺合される。
【００３２】
本実施形態において、透明四角板１００のコーナーピース装着孔１２０の一側には、拡管される形の皿頭装着溝１２１が設けられる。
【００３３】
また、コーナーピース締結部材３００は、ねじ頭３１０が皿頭装着溝１２１に装着されるための皿頭３１０である皿頭ボルト３００である。
【００３４】
従って、本実施形態の皿頭ボルト３００の皿頭３１０は、皿頭装着溝１２１に装着されて透明四角板１００から外側に突出せず、これにより美麗な外観を提供することができる。
【００３５】
図８に示すように、複数の透明四角板１００を全面が開放された直方体状に配置し、コーナーピース２００とコーナーピース締結部材３００を用いて、隣接した透明四角板１００を結合することにより、図１のような単位陳列台１０を組み立てることができる。
【００３６】
以下、本考案による他の実施形態を説明する。
【００３７】
図９は本考案の他の実施形態によるショーケースの斜視図、図１０は図９のショーケースのＡ部位の結合形態を示す概念図である。
【００３８】
本実施形態のショーケースは、複数の単位陳列台１０が上下方向または左右方向に連続するように配置して製作される。
【００３９】
すなわち、複数の単位陳列台１０を上下左右に連続するように配置し、複数の単位陳列台１０をコーナーピース２００とコーナーピース締結部材３００を用いて相互に連結することにより、図９のようなショーケースを製作することができる。
【００４０】
複数の単位陳列台１０を互いに連結するとき、互いに隣接するように配置された一対の単位陳列台１０は、単位陳列台１０を構成する１つの透明四角板１００を互いに共有しながら連結されるようにする。すなわち、図９及び図１０に示すように、右上段に位置した単位陳列台１０の底面をなす透明四角板１００は、右下段に位置した単位陳列台１０の天井になるのである。
【００４１】
図９は単位陳列台１０を左右に配置し、その上にもう一つの単位陳列台１０を配置した形態を示している。しかし、このような形態は一例に過ぎず、実施形態によってはさらに多くの透明四角板１００を結合して、より多くの単位陳列台１０が連続的に配置されたショーケースを製作することもできる。
【００４２】
前述した本考案の説明は例示のためのものであり、本考案の属する技術分野における通常の知識を有する者は、本考案の技術的思想や必須の特徴を変更することなく、他の具体的な形態に容易に変形可能であることを理解することができるだろう。
【００４３】
したがって、以上で記述した実施形態は、あらゆる面で例示的なもので、限定的なものではないと理解されるべきである。例えば、単一型に説明されている各構成要素は、分散されて実施されてもよく、分散されたものと説明されている構成要素も結合された形態で実施されてもよい。
【００４４】
本考案の範囲は、前述の詳細な説明よりは、後述する実用新案登録請求の範囲によって示され、実用新案登録請求の範囲の意味及び範囲、そしてその均等概念から導き出されるすべての変更または変形形態も本考案の範囲に含まれると解釈されるべきである。
【符号の説明】
【００４５】
１０    単位陳列台
１００    透明四角板
１２０    コーナーピース装着孔
１２１    皿頭装着溝
２００    コーナーピース
２１０    コーナー接触面
２１１    装着孔挿入段部
２１２    雌ねじ孔
３００    コーナーピース締結部材
３１０    ねじ頭
３２０    ねじ本体
【図１】
0003224295.tif 000003
【図２】
0003224295.tif 000004
【図３】
0003224295.tif 000005
【図４】
0003224295.tif 000006
【図５】
0003224295.tif 000007
【図６】
0003224295.tif 000008
【図７】
0003224295.tif 000009
【図８】
0003224295.tif 000010
【図９】
0003224295.tif 000011
【図１０】
0003224295.tif 000012